(57)【要約】      （修正有）【課題】半永久的に重複使用できる外カップと適宜交換できる内カップを配することによって、使用者が適宜内カップを交換し、また可動範囲を持つ接続部品を使用する事で常に利用者が必要な位置に貼着式ブラジャーを固定しバストアップ効果も期待する事ができる構造を提供する。【解決手段】片側のカップ各々が外側モルドと内側パッドで形成されており、内外のパッドにはそれぞれ面ファスナーの雌面、雄面が配されており、相対し接着する構造とする。【選択図】図３
0003150824.tif 000002
【実用新案登録請求の範囲】
【請求項１】
片側ブラジャーカップと連結部品から構成されるブラジャー構造において、左右各々のブラジャーカップが弾性素材を基材使用し内表面に面ファスナーを備えた外側モルドと、外表面に面ファスナーを備え内表面にシリコン等の合成接着剤塗布された内側パッドの一対で構成されるカップ構造を有する貼着ブラジャー
【請求項２】
内側パッド、外側モルドの接着する面の任意箇所もしくは全面に面ファスナーを配する事により内側パッドと外側モルドを着脱可能且つ取替可能とした構造を有する請求項１に記載の貼着ブラジャー
【請求項３】
前記外側モルド内表面は面ファスナーで生成または面ファスナーが配されており、内側パッド外表面と対応し立体的な接着を可能とした構造を有する請求項１、または２、または３に記載の貼着ブラジャー
【請求項４】
前記内側パッド内表面の貼着剤を使用者の胸部に直接貼着して装着するブラジャーであり、使用者の乳頭に値する箇所にシリコン接着剤等の塗布されていない間欠部分を有し、この領域において使用者の乳頭を貼着より保護する構造を有する、請求項１、または２、または３に記載の貼着ブラジャー
【請求項５】
左右のカップを連結させる接続部品に可動範囲を設ける事により、使用者の理想の角度で接着し、それに因り希望のバストラインを実現する事が可能となる構造を有する、請求項１、または２、または３、または４に記載の貼着ブラジャー
【考案の詳細な説明】
【考案の詳細な説明】
【技術分野】
【０００１】本考案は、肩のストラップやベルト部のない片側カップの貼着式ブラジャーを外側モルド内側パッドの二層で形成し内外パッドそれぞれを着脱、取替可能にした構造に関するものである
【技術背景】
【０００２】女性の乳房の矯正や保護に使用されているブラジャーは昨今多様化されており、内表面に合成樹脂剤等の貼着剤が塗布された形成カップを乳房に直接貼り付けて使用する貼着ブラジャーが使用されている
【０００３】このような貼着式ブラジャーは日常に定着しつつあるが、素材が使用者の胸の皮膚と粘着する性質を利用しているため、装着前にごみや皮脂汚れをきれいに取り除く事が重要となるため、同一のものを洗濯乾燥施し毎日使用するのは難しく、カップ本体を高価な合成樹脂材等で形成し、同じく高価な接着剤からなる接着部を持つことから、経済的にも複数個を所持することは困難である
【０００４】また、カップを接続する接続部品が固定されている形状をとっており、角度が決められているため、自身の希望する角度に接着することが出来ない
【特許文献１】特開２００３−１４４６４５公報
【特許文献２】実用第３０９５３４９公報
【考案の開示】
【考案が解決しようとする課題】
【０００５】洗えば何度でも使用可能であるが、やはり限界があり劣化が著しいと感じても安価なものではないため、使用中の貼着虚脱、ズレ等に対する不安を感じながらも使用を継続してしまう等の問題点を有する【０００６】したがって、外側モルド、内側パッドの二層の構造を取ることにより、高価な貼着式ブラジャーを多数組用意することなく、劣化が問題となる接着面を有する内側カップの交換だけを適宜行うことにより、貼着式ブラジャーを常に安心して使用することが出来る【０００７】貼着面の使用者の乳頭に値する部分に間欠部分を有することにより、バストトップの違和感を軽減しデリケートな部分を粘着より保護をすると共に、内外パッドの面ファスナー接着面を間欠させることにより通気性を向上させたものとする【０００８】左右各々のカップを接続する部品に稼動範囲を設けることにより、自身の希望する角度に合わせ調整が可能となる【０００９】本考案は、上述の問題を解決し、半永久的に重複使用できる外カップと適宜交換できる内カップを配することによって、使用者が適宜内カップを交換し、また可動範囲を持つ接続部品を使用する事で常に利用者が必要な位置に貼着式ブラジャーを固定しバストアップ効果も期待する事ができる構造を提供することを課題とする。
【課題を解決するための手段】
【００１０】本考案の貼着式ブラジャーは、片側のカップ各々が外側モルド図１と内側パッド図２で形成されており、内外のパッドにはそれぞれ面ファスナーの雌面、雄面図４が配されており、相対し接着する構造となっている。図３【００１１】面ファスナーは雄面をパッドの縁に沿うように配する図４事により立体的にパットを接着することができる構造となっている。【００１２】内側パッド図２の裏側の一部は貼着材を有していない領域ａを有しており、使用者のバストトップに当たる部分に値する場所で、この領域部分には内側パッドの素材が露出しており、それによってカップに覆われるバストトップを粘着より保護することが出来る構造となっている【００１３】この部分を指標として装着を行うことが出来、装着後の安定感を生む構造となっているカップ内パッドの粘着をバストに貼り付け、ホックを止めることによってバストを自然に内側に寄せて、美しく見せる効果が得られる。【００１４】左右両方のカップを接続する部品は凸凹で留める構造図５となっており、ｂ１〜２が可動部分となっており、各々の希望する角度に併せてカップの方向を調節できる。
【考案の効果】
【００１５】このブラジャーは図１〜図５で示されるように、左右各々のカップが、外側モルド、内側パッドの二層で構成されており、内側パッド内表面には粘着剤が塗布されており、左右のカップを連結させる部品ｃを有している。内側パッド内表面粘着剤は間欠領域を一部有しており、バストトップが保護される形態になっている。【００１６】左右のカップを連結する部品は、凹凸で合わせるものとなっており、可動範囲を持つため、連結を行った後でカップの角度を最大１８０度まで自由に設定することが可能となっている。
【考案を実施するための最良の状態】
【００１７】カップ外側モルドの基材として、ポリウレタンもしくはエステランを使用することが好ましい。
本件の実施形態では、ポリウレタンもしくはエステランを使用して、縫製されている。
また、内側パッドの基材としては、ポリウレタンもしくはエステランを使用することが好ましい。本件の実施形態では、ポリウレタンもしくはエステランを使用して、縫製されている。
【００１８】外側モルドと内側パッドは雄雌の面ファスナーで接続しており、面ファスナー雄面ｄをパッド外周に沿って間欠的に配することにより、両パッドが一体化した立体的な構造と通気性の向上を可能としている。面ファスナーは直接肌に当たる可能性が高い為、本件では赤ちゃんのオムツに使用するメディカルファスナーを使用しているが、パイルアンドフックでも使用可能である。
【００１９】粘着層を構成する材料は、通常貼着式ブラジャー供されているシリコン粘着材を使用できるが、肌への考慮と共に、耐久性をあげる事が可能となる医療用シリコンが良いとする。
【００２０】貼着式ブラジャーの装着手順の説明としては、まず連結部品を外し、左右のカップに分離しておく。外側モルドと内側カップは分離せず、一体となっていることを良しとする。
一方のカップを手にもって、アンダーバストの善き位置よりトップに向かって粘着をバスとにつけながら沿わせていき、上部にて指で粘着と肌を密着させるように押下していく。この際に希望となるバストを形成するよう適宜調節して位置づけていく。もう一方も同様に行い、その後料カップの連結部品同士を結合させ、左右を連結させる。
【００２１】このブラジャーの装着方法によって、バストが外側から内側に寄せて、また下側から上側に持ち上げて、部品での連結によって安定感を生む構成となる。
【００２２】上述した実施形態は事例を挙げたのみにすぎず、実用新案の請求に記載した本考案の要旨に基づいた範囲内で適宜変更を加えて考案を実施することも可能である。
【図面の簡単な説明】
【００２３】
【図１】本考案の貼着式ブラジャーの外側モルドを示すものである
【図２】貼着式ブラジャーの内側パッド、内表面である
【図３】図１図２の貼着式ブラジャーの外側モルド、内側パッドを接着したものである
【図４】図２の貼着式ブラジャーのフック雄面の配図である
【図５】図１の接続部品の任意箇所である。
【図６】図５の接続部品の凹凸が接続された状態である
【符号の説明】
【００２４】ａ：間欠領域
ｂ１〜４：接続部品可動範囲
ｃ：接続部品
ｄ：面ファスナー
【図１】
0003150824.tif 000003
【図２】
0003150824.tif 000004
【図３】
0003150824.tif 000005
【図４】
0003150824.tif 000006
【図５】
0003150824.tif 000007
【図６】
0003150824.tif 000008